(57)【要約】      （修正有）【課題】アンテナモジュール、駆動モジュール、音声出力ユニットおよびインピーダンス変換器を備える発声機能を有する実用性にすぐれる無線誘導装置を提供する。【解決手段】アンテナモジュールは、誘導信号および第１の電力を受信し、駆動モジュールは、アンテナモジュールに電気的接続され、第１の電力は駆動モジュールを稼働し、駆動モジュールは誘導信号を受信して、誘導信号に基づいて駆動モジュールのチップユニットを制御し、駆動モジュールは、チップユニットに格納された音声信号および第１の電力を伝送し、音声出力ユニットは、音声信号に基づいて音声を出力し、インピーダンス変換器は、第１の電力を受信するように駆動モジュールおよび音声出力ユニットに電気的接続され、インピーダンス変換器は、第１の電力を音声出力ユニットに対応する第２の電力に変換し、音声出力ユニットを稼働するように音声信号および第２の電力を音声出力ユニットに伝送する。【選択図】図１
0003230689.tif 000002
【実用新案登録請求の範囲】
【請求項１】
アンテナモジュール、駆動モジュール、音声出力ユニットおよびインピーダンス変換器を備える発声機能を有する無線誘導装置であって、
前記アンテナモジュールは、誘導信号および第１の電力を受信し、
前記駆動モジュールは、前記アンテナモジュールに電気的接続され、前記第１の電力は前記駆動モジュールを稼働するように供給され、前記駆動モジュールは前記誘導信号を受信して、前記誘導信号に基づいて前記駆動モジュールのチップユニットを制御し、前記駆動モジュールは、前記チップユニットに格納された音声信号および前記第１の電力を伝送し、
前記音声出力ユニットは、前記音声信号に基づいて音声を出力するように配置され、
前記インピーダンス変換器は、前記第１の電力を受信するように前記駆動モジュールおよび前記音声出力ユニットに電気的接続され、前記インピーダンス変換器は、前記第１の電力を前記音声出力ユニットに対応する第２の電力に変換し、前記音声出力ユニットを稼働するように前記音声信号および前記第２の電力を前記音声出力ユニットに伝送することを特徴とする、発声機能を有する無線誘導装置。
【請求項２】
前記駆動モジュールおよび前記インピーダンス変換器は、回路基板に設置されることを特徴とする、請求項１に記載の発声機能を有する無線誘導装置。
【請求項３】
第１のハウジングおよび第２のハウジングをさらに備え、前記アンテナモジュール、前記回路基板および前記音声出力ユニットは、前記第１のハウジングと前記第２のハウジングを組み合わせて構成する収容空間内に設置されることを特徴とする、請求項２に記載の発声機能を有する無線誘導装置。
【請求項４】
前記回路基板は、前記アンテナモジュールと前記音声出力ユニットの間に位置することを特徴とする、請求項３に記載の発声機能を有する無線誘導装置。
【請求項５】
前記回路基板と前記音声出力ユニットの間に所定距離を有することを特徴とする、請求項４に記載の発声機能を有する無線誘導装置。
【請求項６】
前記回路基板と前記アンテナモジュールの間に磁気素子を備えることを特徴とする、請求項４に記載の発声機能を有する無線誘導装置。
【考案の詳細な説明】
【技術分野】
【０００１】
本考案は、無線誘導装置領域に属し、具体的には、発声機能を有する無線誘導装置に関する。
【背景技術】
【０００２】
現在利用された誘導式装置は、例えば電子マネーなど、そのカード自体は発声モジュールを有しない。すなわち、電子マネーなどの誘導装置のほとんどは、柄、素材、または外観の制限で、音声や音楽を出すことができないため、革新と変化を求めている市場の需要に対応することができない。
【０００３】
要約すると、本考案の考案人は、既存の技術の欠如を改善し、産業上の利用性を上げるために、発声機能を有する無線誘導装置を考案した。
【考案の概要】
【考案が解決しようとする課題】
【０００４】
このような従来技術の問題に鑑みて、本考案の目的は、従来技術の改善されるべき問題を解決する、発声機能を有する無線誘導装置を提供することにある。
【課題を解決するための手段】
【０００５】
本考案の目的により、本考案はアンテナモジュール、駆動モジュール、音声出力ユニットおよびインピーダンス変換器を備える発声機能を有する無線誘導装置を提供する。前記アンテナモジュールは、誘導信号および第１の電力を受信し、前記駆動モジュールは、前記アンテナモジュールに電気的接続され、前記第１の電力は前記駆動モジュールを稼働するように供給され、前記駆動モジュールは前記誘導信号を受信して、前記誘導信号に基づいて前記駆動モジュールのチップユニットを制御し、前記駆動モジュールは、前記チップユニットに格納された音声信号および前記第１の電力を伝送し、前記音声出力ユニットは、前記音声信号に基づいて音声を出力するように配置され、前記インピーダンス変換器は、前記第１の電力を受信するように前記駆動モジュールおよび前記音声出力ユニットに電気的接続され、前記インピーダンス変換器は、前記第１の電力を前記音声出力ユニットに対応する第２の電力に変換し、前記音声出力ユニットを稼働するように前記音声信号および前記第２の電力を前記音声出力ユニットに伝送する。
【０００６】
より好ましくは、前記駆動モジュールおよび前記インピーダンス変換器は、回路基板に設置される。
【０００７】
より好ましくは、本考案の発声機能を有する無線誘導装置は、第１のハウジングおよび第２のハウジングをさらに備え、前記アンテナモジュール、前記回路基板および前記音声出力ユニットは、前記第１のハウジングと前記第２のハウジングを組み合わせて構成する収容空間内に設置される。
【０００８】
より好ましくは、前記回路基板は、前記アンテナモジュールと前記音声出力ユニットの間に位置する。
【０００９】
より好ましくは、前記回路基板と前記音声出力ユニットの間に所定距離を有する。
【００１０】
より好ましくは、前記回路基板と前記アンテナモジュールの間に磁気素子を備える。
【００１１】
本考案が提供する発声機能を有する無線誘導装置は、音声を出力する機能を有し、実用性を改善することができる。また、本考案の発声機能を有する無線誘導装置は、インピーダンス変換器の設置により、音声出力ユニットに伝送する電力が不安定という異常を避けることができるため、音声出力ユニットが爆音または声量が小さ過ぎる問題を避けることができる。
【００１２】
本考案の技術特徴は、特定の実施例および添付の図面とともに以下に詳細に説明され、当業者が本考案の目的、技術的特徴、および利点を容易に理解できるようにする。
【図面の簡単な説明】
【００１３】
【図１】本考案の発声機能を有する無線誘導装置のブロック図。
【図２】本考案の発声機能を有する無線誘導装置の第１の構造概略図。
【図３】本考案の発声機能を有する無線誘導装置の第２の構造概略図。
【考案を実施するための形態】
【００１４】
本考案をより完全に理解するために、本考案の技術特徴、内容と長所およびびそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００１５】
ある要素が別の要素に「接続」、「設置」、または「配置」と記載される場合、その要素は別の要素に直接接続または設置されているか、その間に他の要素が存在する場合があることは注意すべきである。また、「第１」、「第２」、および「第３」という用語は単に説明目的でのみ使用され、相対的な重要性またはその順序または方向の関係を示したり暗示したりするものではない。
【００１６】
以下は添付図面及び説明により、本考案の発声機能を有する無線誘導装置を説明し、わかりやすくため、以下の実施例の同じ要素は同じ符号で表示する。
【００１７】
図１から図３を参照し、図１は本考案の発声機能を有する無線誘導装置のブロック図である。図２は本考案の発声機能を有する無線誘導装置の第１の構造概略図である。図３は本考案の発声機能を有する無線誘導装置の第２の構造概略図である。
【００１８】
図面に示されるように、本考案の発声機能を有する無線誘導装置１は、アンテナモジュール１０、駆動モジュール２０、音声出力ユニット３０およびインピーダンス変換器４０を備える。そのうち、アンテナモジュール１０は、誘導信号９１および第１の電力９２を受信する。そのうち、アンテナモジュール１０と外部電子装置の間には、信号および電力を伝送するように、電磁誘導、磁気結合共振または光電誘導によって実現することができる。駆動モジュール２０は、アンテナモジュール１０に電気的接続され、第１の電力９２は駆動モジュールを稼働するように供給され、駆動モジュール２０は誘導信号９１を受信して、誘導信号９１に基づいて駆動モジュール２０のチップユニット２１を制御し、駆動モジュール２０は、チップユニット２１に格納された音声信号２１１および第１の電力９２を伝送する。
【００１９】
例えば、チップユニット２１は電子マネー機能を有することができるため、電子マネーに関する操作を実行できる。
【００２０】
また、音声出力ユニット３０は、音声信号２１１に基づいて音声３１を出力するように配置される。インピーダンス変換器４０は、第１の電力９２を受信するように駆動モジュール２０および音声出力ユニット３０に電気的接続され、インピーダンス変換器４０は、第１の電力９２を音声出力ユニット３０に対応する第２の電力４１に変換し、音声出力ユニット３０を稼働するように音声信号２１１および第２の電力４１を音声出力ユニット３０に伝送する。例えば、インピーダンス変換器４０は、６００Ωを有する第１の電力９２を、例えば、ブザーである音声出力ユニット３０に対応する８Ωを有する第２の電力４１に変換することができる。
【００２１】
本考案の発声機能を有する無線誘導装置１は、音声を出力することができるため、実用性を改善することができる。また、本考案の発声機能を有する無線誘導装置１は、インピーダンス変換器４０の設置により、音声出力ユニット３０に伝送する電力が不安定という異常を避けることができるため、音声出力ユニット３０が爆音または声量が小さ過ぎる問題を避けることができる。
【００２２】
更に、駆動モジュール２０およびインピーダンス変換器４０は、回路基板５０に設置される。本考案の発声機能を有する無線誘導装置１は、第１のハウジング６１および第２のハウジング６２をさらに備えることができる。したがって、アンテナモジュール１０、回路基板５０および音声出力ユニット３０は、第１のハウジング６１と第２のハウジング６２を組み合わせて構成する収容空間内に設置されることができるため、外部の湿気や異物による構成要素の損傷を防ぎことができる。そのうち、第１のハウジング６１および第２のハウジング６２の組み合わせは、任意の形状を有することができるため、実用性および美観性を高めた。本実施れにより、第１のハウジング６１および第２のハウジング６２が組み合わせた形状はボトル形状であり、キーリングの飾りとすることができるが、これらに限定されない。
【００２３】
また、回路基板５０は、アンテナモジュール１０と音声出力ユニット３０の間に配置することができる。そのうち、回路基板５０と音声出力ユニット３０との間に所定距離を有する。この所定距離は需要に応じて調整することができる。例えば、ハウジング構造のスペース制限などの原因によって調整することができる。このようにして、音声出力ユニット３０の出力に影響を与えることを回避できる。
【００２４】
更に、アンテナモジュール１０は、立体誘導アンテナであることができる。そのうち、アンテナモジュールは第１のループアンテナおよび２つの第２のループアンテナを備えることができる。第１のループアンテナの直径は第２のループアンテナの直径より大きい。第２のループアンテナは回路基板５０に設置されることができ、第１のループアンテナは他の回路基板上に設置されて、回路基板５０との間に所定間隔を置くことができる。この所定間隔は、ハウジングのスペース制限または識別強度の設定により調整することができる。
【００２５】
電気的接続を達成するために、他の回路基板と回路基板５０との間に弱剛性のワイヤを使用することができ、それはまた、高剛性の金属シリンダであり得る。弱剛性のワイヤーや高剛性の金属シリンダーを配置することにより、第２ループアンテナと第１ループアンテナを同じ所定の間隔で安定して維持することができる。
【００２６】
回路基板５０とアンテナモジュール１０との間に磁気素子６３があり、これは、第２のループアンテナによって囲まれた空間に配置することができる。磁気素子６３は、好ましくは、任意の回路基板に接触せずに配置される事ができる。磁気素子６３は、マンガン−亜鉛フェライト素子、ニッケル−亜鉛フェライト素子、または高透過性、高磁束密度、低磁気損失または高抵抗率を有する他の磁気素子であり得る。そのうち、マンガン亜鉛フェライトは、透磁率が高く、磁束密度が高いという特徴があり、損失が少ないという特徴がある。ニッケル亜鉛フェライトは、抵抗率が高いという特徴がある。また、上記の例は単なる例示であり、それらに限定されない。
【００２７】
上記のように、本考案により作製された発声機能を有する無線誘導装置は、アンテナモジュール１０を介して三次元誘導アンテナになれるため、無線誘導距離を増加することができ、アンテナと外界との間の距離を短縮する目的を達成することができる。。したがって、本考案によって作成された発声機能を有する無線誘導装置は、無線周波数の識別強度を高める効果を有する。本考案により作製された発声機能を有する無線誘導装置１は、音声を出力する機能を有することができるため、より実用的である。さらに、本考案によって作成された発声機能を有する無線誘導装置は、インピーダンス変換器の設定を通じて音声出力ユニットに伝達される電力が大きすぎるまたは小さすぎるという問題を回避することができ、それによって音声出力ユニットの爆音または音声出力が小さすぎることを回避することができる。
【００２８】
上記の説明は単なる例示であり、限定的なものではない。本考案の範囲及び趣旨を逸脱することなく均等範囲内における変更及び修正は、いずれも添付の特許請求の範囲で扱うものとする。
【符号の説明】
【００２９】
１：発声機能を有する無線誘導装置
１０：アンテナモジュール
２０：駆動モジュール
２１：チップユニット
２１１：音声信号
３０：音声出力ユニット
３１：音声
４０：インピーダンス変換器
４１：第２の電力
５０：回路基板
６１：第１のハウジング
６２：第２のハウジング
６３：磁気素子
９１：誘導信号
９２：第１の電力
【図１】
0003230689.tif 000003
【図２】
0003230689.tif 000004
【図３】
0003230689.tif 000005